(57)【要約】【課題】外観を良好に納めながら、竪樋と排水管との偏芯を容易に吸収可能とする。【解決手段】  竪樋２の下端に接続される竪樋接続筒４と、地中に埋設される排水管３の上端に接続される排水管接続筒５と、前記竪樋接続筒4と前記排水管接続筒５との間の偏芯を吸収可能とする偏芯ソケット６と、この偏芯ソケット６を外部から覆う筒形状のスカート部9とを備え、このスカート部９の内側で前記竪樋接続筒４と前記排水管接続筒５とが前記偏芯ソケット６を介して相互に接続されている偏芯排水管カバー１である。【選択図】図１
2012072555.tif 000002
【特許請求の範囲】
【請求項１】
竪樋の下端と地中に埋設される排水管の上端との接続箇所を覆う偏芯排水管カバーであって、前記竪樋の下端に接続される竪樋接続筒と、前記排水管の上端に接続される排水管接続筒と、前記竪樋接続筒と前記排水管接続筒との間の偏芯を吸収可能とする偏芯ソケットと、この偏芯ソケットを外部から覆う筒形状のスカート部とを備え、このスカート部の内側で前記竪樋接続筒と前記排水管接続筒とが前記偏芯ソケットを介して相互に接続されていることを特徴とする偏芯排水管カバー。
【請求項２】
前記偏芯ソケットは、前記竪樋接続筒に対して偏芯して連結される嵌合筒部と、前記排水管接続筒に対して偏芯して連結される被嵌合筒部とを備え、前記嵌合筒部と前記被嵌合筒部とを同一垂線を中心に回転自在に嵌合接続することで、前記竪樋接続筒と前記排水管接続筒との偏芯量を可変可能としたことを特徴とする請求項１記載の偏芯排水管カバー。
【請求項３】
前記竪樋接続筒を前記筒形状のスカート部に対して非同心円状に配設したことを特徴とする請求項１又は２記載の偏芯排水管カバー。
【発明の詳細な説明】
【技術分野】
【０００１】
本発明は、竪樋の下端と地中に埋設された排水管の上端との接続箇所を覆う偏芯排水管カバーに関し、詳しくは竪樋の下端と排水管の上端との偏芯を吸収し得る偏芯排水管カバーに関するものである。
【背景技術】
【０００２】
建築物の屋根、ベランダなどの排水は、建築物の側壁に取付けられる竪樋を通して、地中に埋設された排水管から下水道へ排出される。
【０００３】
従来から、竪樋の下端部と地中に埋設された排水管との間を覆う樋用の排水管カバーが知られている（例えば、特許文献１参照）。
【先行技術文献】
【特許文献】
【０００４】
【特許文献１】特開平８−２３９９７１号公報
【発明の概要】
【発明が解決しようとする課題】
【０００５】
ところで、従来の排水管カバーは、竪樋と排水管の垂直中心線が同一垂線上に位置するような施工されている場合には対応できるが、外壁や雨樋などのリフォームなどで、竪樋を取り替える際には、新旧竪樋の位置ずれに伴い、既存の排水管の垂直中心線と新規の竪樋の垂直中心線とが芯ずれする場合がある。この場合、竪樋と排水管との位置関係が左右又は前後にずれてしまっているため、従来の排水管カバーで納めることができないことが多い。特に、排水管カバーを無理やり曲げたりして排水管と接続しようとすると、施工がしにくいうえに、排水管カバーが曲がるために外観が悪くなるという問題がある。一方、排水管カバーを使わずに、エルボ等の屈曲管を製作して取付けているのが現状である。この場合、部品数が増えて施工が面倒であるという問題がある。
【０００６】
本発明は上記の事情に鑑みてなされたものであって、その目的とするところは、外観を良好に納めながら、竪樋と排水管との偏芯を容易に吸収可能とした偏芯排水管カバーを提供することにある。
【課題を解決するための手段】
【０００７】
前記の課題を解決するために、本発明は、竪樋の下端と地中に埋設される排水管の上端との接続箇所を覆う偏芯排水管カバーであって、前記竪樋の下端に接続される竪樋接続筒と、前記排水管の上端に接続される排水管接続筒と、前記竪樋接続筒と前記排水管接続筒との間の偏芯を吸収可能とする偏芯ソケットと、この偏芯ソケットを外部から覆う筒形状のスカート部とを備え、このスカート部の内側で前記竪樋接続筒と前記排水管接続筒とが前記偏芯ソケットを介して相互に接続されていることを特徴とする。
【０００８】
また、前記偏芯ソケットは、前記竪樋接続筒に対して偏芯して連結される嵌合筒部と、前記排水管接続筒に対して偏芯して連結される被嵌合筒部とを備え、前記嵌合筒部と前記被嵌合筒部とを同一垂線を中心に回転自在に嵌合接続することで、前記竪樋接続筒と前記排水管接続筒との偏芯量を可変可能とするのが好ましい。
【０００９】
また、前記竪樋接続筒を前記筒形状のスカート部に対して非同心円状に配設するのが好ましい。  
【発明の効果】
【００１０】
本発明の偏芯排水管カバーは、外観を良好に納めながら、竪樋と排水管との偏芯を容易に吸収可能となるものである。
【図面の簡単な説明】
【００１１】
【図１】本発明の一実施形態の偏芯排水管カバーの使用状態を説明する斜視図である。
【図２】（ａ）は同上の偏芯排水管カバーの斜視図であり、（ｂ）は偏芯排水管カバーのスカート部内に配置される偏芯ソケットの斜視図である。
【図３】同上の偏芯ソケットの側面断面図である。
【図４】（ａ）は竪樋と排水管との間に芯ずれがない場合の同上の偏芯ソケットの使用状態の説明図であり、（ｂ）は竪樋と排水管との間に芯ずれがある場合の同上の偏芯ソケットの使用状態の説明図であり、（ｃ）は壁面に対する竪樋接続筒と排水管接続筒の位置関係を説明する平面断面図である。
【発明を実施するための形態】
【００１２】
以下、本発明の実施の形態について、図面を参照しながら説明する。
【００１３】
図1は、取替え前の竪樋２´と、新たに取り付けられた竪樋２との位置関係が壁面１５の前後方向Ｆにずれている場合の一例を示す。偏芯排水管カバー１は、地中に埋設された既存の排水管３の上端と、新たな竪樋２の下端との連結に用いられる。なお、竪樋２は、控え金具（図示略）を用いて壁面１５に固定される。
【００１４】
偏芯排水管カバー１は、図２に示すように、竪樋接続筒４と、排水管接続筒５と、偏芯ソケット６と、スカート部９とで構成されている。
【００１５】
竪樋接続筒４の上端には、上方から竪樋２（図１参照）の下端が挿入される。
【００１６】
排水管接続筒５の下端は、排水管３（図１参照）の上端に落とし込まれる落とし口部となっている。
【００１７】
スカート部９内には、偏芯ソケット６が配置される。偏芯ソケット６は、上ソケット部７と下ソケット部８とで構成されている。
【００１８】
上ソケット部７は、図３に示すように、竪樋接続筒４の下端に連設される上側傾斜筒部１０と、上側傾斜筒部１０の下端に連設される嵌合筒部１２とが一体に形成されている。上側傾斜筒部１０は垂直軸線に対して斜めに傾斜していると共に、嵌合筒部１２の垂直中心線Ａ２は竪樋接続筒４の垂直中心線Ａ１に対して偏芯している。本例では竪樋接続筒４と上ソケット部７とが連続して一体形成されている。
【００１９】
下ソケット部８は、上記嵌合筒部１２の下端に連設される下側傾斜筒部１１と、下側傾斜筒部１１の下端に連設される排水管接続筒５とが一体に形成されている。下側傾斜筒部１１は垂直軸線に対して斜めに傾斜していると共に、排水管接続筒５の垂直中心線Ａ３は嵌合筒部１２の垂直中心線Ａ２に対して偏芯している。本例では被嵌合筒部１３と下ソケット部８とが連続して一体形成されている。
【００２０】
上ソケット部７の嵌合筒部１２は、外壁部１２ａと内壁部１２ｂとの二重壁となっており、二重壁の内側に下方に開口した隙間１２ｃが形成されている。この隙間１２ｃは嵌合筒部１２の下端より全周に亙って下方に開口しており、下方から隙間１２ｃ内に下ソケット部８の被嵌合筒部１３をスライド嵌合させる。嵌合筒部１２と被嵌合筒部１３とは同一垂線を中心に相互に回転自在に接続されている。嵌合筒部１２と被嵌合筒部１３とを相互に回転させることで、竪樋接続筒４の垂直中心線Ａ１と排水管接続筒５の垂直中心線Ａ３間の距離が可変可能となる。つまり、図４（ａ）に示す無偏芯状態から図４（ｂ）に示す最大偏芯量Ｍまで可変可能となる。本例では、最大偏芯量Ｍを３０ｍｍ程度に確保している。
【００２１】
上記偏芯ソケット６を隠蔽するスカート部９は、図3に示すように、円板状の上面部９ａと、上面部９ａの外周端から下方に垂下している円筒状の側面部９ｂとからなる。上面部９ａには竪樋接続筒４が上下に貫通している。本例では、竪樋接続筒４はスカート部９に対して非同心円状に配設されている。つまり、竪樋接続筒４の垂直中心線Ａ１をスカート部９の上面部９ａの垂直中心線Ａ４（図４（ｃ）参照）に対して偏芯させている。
【００２２】
さらに、側面部９ｂの内径寸法Ｎは、偏芯ソケット６全体の最大偏芯量Ｍ（図４（ｂ）参照）よりも大きく形成されている。スカート部９の高さＨ´（図３参照）は、偏芯ソケット６全体の高さＨ（図２（ｂ）参照）と同程度か若しくはそれよりも高く設定されている。
【００２３】
次に、上記構成の偏芯排水管カバー１の使用例を説明する。
【００２４】
建物の壁面１５に取り付けた新たな竪樋２の下端と、地中に埋設されている既存の排水管３の上端との間に芯ずれが生じている場合がある。このときは図４（ｂ）に示すように、当該芯ずれに応じて上ソケット部７と下ソケット部８とを相互に回転させる。これにより、竪樋接続筒４の垂直中心線Ａ１と排水管接続筒５の垂直中心線Ａ３との偏芯量が可変する。つまり、０≦Ｍ（Ｍは最大偏芯量）の範囲内で無段階で可変させることができる。そして、竪樋２と竪樋接続筒４の位置、排水管３と排水管接続筒５の位置を、それぞれ合致させることで、竪樋２と排水管３との偏芯を吸収しながら偏芯排水管カバー１を介して連結できる。
【００２５】
なお、竪樋２と排水管３との間に芯ずれが生じていない場合は、図４（ａ）に示すように、竪樋接続筒４の垂直中心線Ａ１と排水管接続筒５の垂直中心線Ａ３とが同一垂線上にくるように、上ソケット部７と下ソケット部８とを相互に回転させる。これにより、竪樋２と竪樋接続筒４の位置、排水管３と排水管接続筒５の位置を、それぞれ合致させることができ、竪樋２と排水管３とを偏芯排水管カバー１を介して連結できる。
【００２６】
このように、上ソケット部７と下ソケット部８の相互回転によって、竪樋２と排水管３間の芯ずれを吸収できる。従って、施工がしやすくなり、また従来のように排水管カバーを無理やり曲げたりする必要もないので、外観が美しくなるように施工できる。
【００２７】
また、筒形状のスカート部９の高さを高くすることで、偏芯ソケット６のほぼ全体を外部から見えないように隠蔽可能となるので、偏芯ソケット６が外部に露出しなくなり、偏芯排水管カバー１の外観が良好に保たれる。
【００２８】
また本例では、竪樋接続筒４を筒形状のスカート部９に対して非同心円状に配設している。つまり、竪樋接続筒４の垂直中心線Ａ１をスカート部９の垂直中心線Ａ４から偏芯させているので、図４（ｃ）に示すように、スカート部９が壁面１５に向けて大きく突出しないようにして、竪樋接続筒４を壁面１５に近づけて配設できる。この結果、違和感が生じないようにして偏芯排水管カバー１を外観良く納めることができる。
【００２９】
なお、前記実施形態では、竪樋接続筒４をスカート部９に対して非同心円状とした場合を説明したが、勿論これに限定されず、竪樋接続筒４をスカート部９と同心円状に配設してもよいものである。
【符号の説明】
【００３０】
１  偏芯排水管カバー
２  竪樋
３  排水管
４  竪樋接続筒
５  排水管接続筒
６  偏芯ソケット
７  上ソケット部
８  下ソケット部
９  スカート部
１０  上側傾斜筒部
１１  下側傾斜筒部
１２  嵌合筒部
１３  被嵌合筒部
１５  壁面
Ａ１  竪樋接続筒の垂直中心線
Ａ２  嵌合筒部の垂直中心線
Ａ３  排水管接続筒の垂直中心線
Ａ４  スカート部の垂直中心線
Ｄ  偏芯ソケットの高さ寸法
Ｈ  スカート部の高さ寸法
Ｍ  偏芯ソケットの最大偏芯量
Ｎ  スカート部の内径寸法
【図１】
2012072555.tif 000003
【図２】
2012072555.tif 000004
【図３】
2012072555.tif 000005
【図４】
2012072555.tif 000006